(57)【要約】      （修正有）【課題】購入した内容物を取り出した後、展開して逆に折ってボックスを形成すると、スクラッチパッドが外部に露出し、切断ラインに囲まれるプレートを取外すと、全体が猫迷路遊技場となる包装ボックスを提供する。【解決手段】底板１０と、底板と一体成形される四つの側板２０と、結合構造により四つの側板及び底板と結合可能であり、底板と四つの側板とから収容空間が構成され、収容空間は品物を収容可能であり、底板と四つの側板とに合わせてパッケージボックスを形成する一つ以上の上板３０と、を含み、一つ以上の側板の背面にスクラッチパッド２２がそれぞれ設けられており、スクラッチパッドの中央には、幾何形状穴２３がスクラッチパッドを貫通するように設けられており、側板とそれに対向する別の側板とには、幾何形状穴の形状と同じ幾何形状切断ラインが設けられている。【選択図】図２
0003202662.tif 000002
【実用新案登録請求の範囲】
【請求項１】
底板と、
前記底板と一体成形される四つの側板と、
結合構造により四つの前記側板及び前記底板と結合可能であり、前記底板と四つの前記側板とから収容空間が構成され、前記収容空間は品物を収容可能であり、前記底板と四つの前記側板とに合わせてパッケージボックスを形成する一つ以上の上板と、
を含み、
一つ以上の前記側板の背面にスクラッチパッドがそれぞれ設けられており、前記スクラッチパッドの中央には、幾何形状穴が前記スクラッチパッドを貫通するように設けられており、前記側板とそれに対向する別の前記側板とには、前記幾何形状穴の形状と同じ幾何形状切断ラインが設けられており、
前記パッケージボックスとそれに収容される品物とを購入した後、前記品物を取り出すと、前記パッケージボックスを、展開して、逆に折ってペット用品ボックスを形成可能であり、このとき、前記スクラッチパッドが外部に露出し、前記幾何形状切断ラインに囲まれるプレートを切断すると、前記ペット用品ボックスが猫迷路遊技場となり、猫が前記スクラッチパッドを利用可能であり、前記ペット用品ボックスと前記スクラッチパッドとはリサイクル可能な材料を採用することを特徴とする包装ボックス。
【請求項２】
前記結合構造は、重複に貼り付け可能なペーストを採用することを特徴とする、請求項１に記載の包装ボックス。
【請求項３】
前記結合構造は、重複に脱着可能なベルクロを採用することを特徴とする、請求項１に記載の包装ボックス。
【請求項４】
前記結合構造は、重複に係合可能な挿入板と挿入穴との組合を採用することを特徴とする、請求項１に記載の包装ボックス。
【請求項５】
前記幾何形状穴の形状は円形であることを特徴とする、請求項１に記載の包装ボックス。
【請求項６】
前記上板にハンドルが設けられており、全体をパッケージボックスとして利用するときには、前記ハンドルが外部に露出することを特徴とする、請求項１に記載の包装ボックス。
【請求項７】
一つ以上の前記側面の背面にスクラッチパッドが設けられており、二つの前記側面の背面にスクラッチパッドがそれぞれ設けられていることを特徴とする、請求項１に記載の包装ボックス。
【請求項８】
一つ以上の前記側面の背面にスクラッチパッドが設けられており、三つの前記側面の背面にスクラッチパッドがそれぞれ設けられていることを特徴とする、請求項１に記載の包装ボックス。
【請求項９】
底板と、
前記底板と一体成形される四つの側板と、
結合構造により四つの前記側板及び前記底板と結合可能であり、前記底板と四つの前記側板とから収容空間が構成され、前記収容空間は品物を収容可能であり、前記底板と四つの前記側板とに合わせてパッケージボックスを形成する一つ以上の上板と、
を含み、
四つの前記側板の背面にスクラッチパッドがそれぞれ設けられており、前記スクラッチパッドの中央には、幾何形状穴が前記スクラッチパッドを貫通するように設けられており、前記各側板には、前記幾何形状穴の形状と同じ幾何形状切断ラインが設けられており、
前記パッケージボックスとそれに収容される品物とを購入した後、前記品物を取り出すと、前記パッケージボックスを、展開して、逆に折ってペット用品ボックスを形成可能であり、このとき、前記スクラッチパッドが外部に露出し、前記幾何形状切断ラインに囲まれるプレートを切断すると、前記ペット用品ボックスが猫迷路遊技場となり、猫が前記スクラッチパッドを利用可能であり、前記ペット用品ボックスと前記スクラッチパッドとはリサイクル可能な材料を採用することを特徴とする包装ボックス。
【請求項１０】
前記結合構造は、重複に貼り付け可能なペーストを採用することを特徴とする、請求項９に記載の包装ボックス。
【請求項１１】
前記結合構造は、重複に脱着可能なベルクロを採用することを特徴とする、請求項９に記載の包装ボックス。
【請求項１２】
前記結合構造は、重複に係合可能な挿入板と挿入穴との組合を採用することを特徴とする、請求項９に記載の包装ボックス。
【請求項１３】
前記幾何形状穴の形状は円形であることを特徴とする、請求項９に記載の包装ボックス。
【請求項１４】
前記上板にハンドルが設けられており、全体をパッケージボックスとして利用するときには、前記ハンドルが外部に露出することを特徴とする、請求項９に記載の包装ボックス。
【考案の詳細な説明】
【技術分野】
【０００１】
本考案は、ペット用品に関し、特に、購入した内容物を取り出した後、捨てる必要がなく、展開して逆に折って結合してボックスを形成すると、本来の内面に設けられているスクラッチパッドが外部に露出し、切断ラインに囲まれるプレートを取外すと、全体が猫迷路遊技場となり、全体がリサイクル可能な材料を採用する包装ボックスに関するものである。
【背景技術】
【０００２】
特許文献１の台湾意匠１０３３００５１２号の「猫箱」は、中空の立方体であり、その前方から見ると、その前面には、猫のヘッド及び耳に似る幾何パターンが設けられており、当該パターンの下方に斜めな切りラインが設けられており、その上面の中央に直線状を呈する開口が設けられており、前記開口にハンドルが設けられており、その左面と背面とには、より大きい円形を呈する貫通孔が設けられている。このような猫箱は台形パターンを有する。前記台形パターンは、左面から、前面、右面及び背面を順序に経由し、その高さが徐々に降下し、猫箱の四周を囲む。
【０００３】
上記の猫箱は、猫箱だけとして利用可能であり、用途が限られ、商品のパッケージボックスとして利用できない。その原因は、より大きい円形を呈する貫通孔が設けられているため、収容される内容物が前記貫通孔を経由して外部に出やすいことにある。そして上記の猫箱は、展開して逆に折ってボックスに形成しても、別の用途として利用することができないため、意味がない。
【先行技術文献】
【特許文献】
【０００４】
【特許文献１】台湾意匠１０３３００５１２号
【考案の概要】
【考案が解決しようとする課題】
【０００５】
本考案の主な目的は、購入した内容物を取り出した後、捨てる必要がなく、展開して逆に折って結合してボックスを形成すると、本来の内面に設けられているスクラッチパッドが外部に露出し、切断ラインに囲まれるプレートを取外すと、全体が猫迷路遊技場となり、全体がリサイクル可能な材料を採用する包装ボックスを提供することにある。
【課題を解決するための手段】
【０００６】
本考案の包装ボックスによると、底板と、
底板と一体成形される四つの側板と、
結合構造により四つの側板及び底板と結合可能であり、底板と四つの側板とから収容空間が構成され、収容空間は品物を収容可能であり、底板と四つの側板とに合わせてパッケージボックスを形成する一つ以上の上板と、
を含み、
一つ以上の側板の背面にスクラッチパッドがそれぞれ設けられており、スクラッチパッドの中央には、幾何形状穴がスクラッチパッドを貫通するように設けられており、側板とそれに対向する別の側板とには、幾何形状穴の形状と同じ幾何形状切断ラインが設けられており、
パッケージボックスとそれに収容される品物とを購入した後、品物を取り出すと、パッケージボックスを、展開して、逆に折ってペット用品ボックスを形成可能であり、このとき、スクラッチパッドが外部に露出し、幾何形状切断ラインに囲まれるプレートを切断すると、ペット用品ボックスが猫迷路遊技場となり、猫がスクラッチパッドを利用可能であり、ペット用品ボックスとスクラッチパッドとはリサイクル可能な材料を採用することを特徴とする。
【０００７】
本考案の包装ボックスによると、結合構造は、重複に貼り付け可能なペーストを採用することを特徴とする。
【０００８】
本考案の包装ボックスによると、結合構造は、重複に脱着可能なベルクロを採用することを特徴とする。
【０００９】
本考案の包装ボックスによると、結合構造は、重複に係合可能な挿入板と挿入穴との組合を採用することを特徴とする。
【００１０】
本考案の包装ボックスによると、幾何形状穴の形状は円形であることを特徴とする。
【００１１】
本考案の包装ボックスによると、上板にハンドルが設けられており、全体をパッケージボックスとして利用するときには、ハンドルが外部に露出することを特徴とする。
【００１２】
本考案の包装ボックスによると、一つ以上の側面の背面にスクラッチパッドが設けられており、二つの側面の背面にスクラッチパッドがそれぞれ設けられていることを特徴とする。
【００１３】
本考案の包装ボックスによると、一つ以上の側面の背面にスクラッチパッドが設けられており、三つの側面の背面にスクラッチパッドがそれぞれ設けられていることを特徴とする。
【００１４】
本考案の包装ボックスによると、底板と、
底板と一体成形される四つの側板と、
結合構造により四つの側板及び底板と結合可能であり、底板と四つの側板とから収容空間が構成され、収容空間は品物を収容可能であり、底板と四つの側板とに合わせてパッケージボックスを形成する一つ以上の上板と、
を含み、
四つの側板の背面にスクラッチパッドがそれぞれ設けられており、スクラッチパッドの中央には、幾何形状穴がスクラッチパッドを貫通するように設けられており、各側板には、幾何形状穴の形状と同じ幾何形状切断ラインが設けられており、
パッケージボックスとそれに収容される品物とを購入した後、品物を取り出すと、パッケージボックスを、展開して、逆に折ってペット用品ボックスを形成可能であり、このとき、スクラッチパッドが外部に露出し、幾何形状切断ラインに囲まれるプレートを切断すると、ペット用品ボックスが猫迷路遊技場となり、猫がスクラッチパッドを利用可能であり、ペット用品ボックスとスクラッチパッドとはリサイクル可能な材料を採用することを特徴とする。
【００１５】
本考案の包装ボックスによると、結合構造は、重複に貼り付け可能なペーストを採用することを特徴とする。
【００１６】
本考案の包装ボックスによると、結合構造は、重複に脱着可能なベルクロを採用することを特徴とする。
【００１７】
本考案の包装ボックスによると、結合構造は、重複に係合可能な挿入板と挿入穴との組合を採用することを特徴とする。
【００１８】
本考案の包装ボックスによると、幾何形状穴の形状は円形であることを特徴とする。
【００１９】
本考案の包装ボックスによると、上板にハンドルが設けられており、全体をパッケージボックスとして利用するときには、ハンドルが外部に露出することを特徴とする。
【考案の効果】
【００２０】
本考案の包装ボックスによれば、次のような効果がある。
（１）購入した内容物を取り出した後、捨てる必要がなく、展開して逆に折って結合してボックスを形成すると、本来の内面に設けられているスクラッチパッドが外部に露出し、切断ラインに囲まれるプレートを取外すと、全体が猫迷路遊技場となる。
【００２１】
（２）全体がリサイクル可能な材料を採用するため、地球環境に優しい。
【図面の簡単な説明】
【００２２】
【図１】本考案の第１の実施形態が展開されて外面を展示する状態を示す図である。
【図２】本考案の第１の実施形態が展開されて内面を展示する状態を示す図である。
【図３】本考案の第１の実施形態がパッケージボックスに形成された状態を示す斜視図である。
【図４】本考案の第１の実施形態を逆に折ってペット用品ボックスに形成する状態を示す斜視図である。
【図５】本考案の第２の実施形態が展開されて外面を展示する状態を示す図である。
【図６】本考案の第２の実施形態が展開されて内面を展示する状態を示す図である。
【図７】本考案の第２の実施形態がパッケージボックスに形成された状態を示す斜視図である。
【図８】本考案の第２の実施形態を逆に折ってペット用品ボックスに形成する状態を示す斜視図である。
【考案を実施するための形態】
【００２３】
以下、本考案の実施の形態を図面に基づいて説明する。
【００２４】
（第１の実施形態）
図１から図４を参照する。図１は本考案の第１の実施形態が展開されて外面を展示する状態を示す図であり、図２は本考案の第１の実施形態が展開されて内面を展示する状態を示す図であり、図３は本考案の第１の実施形態がパッケージボックスに形成された状態を示す斜視図であり、図４は本考案の第１の実施形態を逆に折ってペット用品ボックスに形成する状態を示す斜視図である。本実施形態に係る包装ボックスは、底板１０と、四つの側板２０と、一つ以上の上板３０と、を含む。
【００２５】
四つの側板２０は、底板１０と一体成形される。
【００２６】
一つ以上の上板３０は、結合構造４０により四つの側板２０及び底板１０と結合可能である。底板１０と四つの側板２０とから収容空間Ａが構成される。収容空間Ａは品物を収容可能である。一つ以上の上板３０は、底板１０と四つの側板２０とに合わせてパッケージボックスＢを形成する。
【００２７】
一つ以上の側板２０の背面２１にスクラッチパッド２２がそれぞれ設けられている。スクラッチパッド２２の中央には、幾何形状穴２３がスクラッチパッド２２を貫通するように設けられている。側板２０とそれに対向する別の側板２０とには、幾何形状穴２３の形状と同じ幾何形状切断ライン２４が設けられている。パッケージボックスＢとそれに収容される品物とを購入した後、当該品物を取り出すと、パッケージボックスＢを、展開して、逆に折ってペット用品ボックスＣを形成可能である。このとき、スクラッチパッド２２が外部に露出する。幾何形状切断ライン２４に囲まれるプレート２５を切断すると、ペット用品ボックスＣが猫迷路遊技場となり、猫がスクラッチパッド２２を利用可能である。ペット用品ボックスＣとスクラッチパッド２２とはリサイクル可能な材料を採用するため、地球環境に優しい。
【００２８】
本実施形態に係る包装ボックスの結合構造４０は、重複に貼り付け可能なペーストを採用してもよい。
【００２９】
本実施形態に係る包装ボックスの結合構造４０は、重複に脱着可能なベルクロを採用してもよい。
【００３０】
本実施形態に係る包装ボックスの結合構造４０は、重複に係合可能な挿入板４１と挿入穴４２との組合を採用してもよい。
【００３１】
本実施形態に係る包装ボックスは、幾何形状穴２３の形状は円形であることが好ましい。
【００３２】
本実施形態に係る包装ボックスは、上板３０にハンドル３１が設けられていてもよい。本実施形態に係る包装ボックス全体をパッケージボックスＢとして利用するときには、ハンドル３１が外部に露出する。
【００３３】
本実施形態に係る包装ボックスは、一つ以上の側面２０の背面２１にスクラッチパッド２２が設けられている。二つの側面２０の背面２１にスクラッチパッド２２がそれぞれ設けられていることが好ましい。
【００３４】
本実施形態に係る包装ボックスは、一つ以上の側面２０の背面２１にスクラッチパッド２２が設けられている。三つの側面２０の背面２１にスクラッチパッド２２がそれぞれ設けられていることが好ましい。
【００３５】
（第２の実施形態）
図５から図８を参照する。図５は本考案の第２の実施形態が展開されて外面を展示する状態を示す図であり、図６は本考案の第２の実施形態が展開されて内面を展示する状態を示す図であり、図７は本考案の第２の実施形態がパッケージボックスに形成された状態を示す斜視図であり、図８は本考案の第２の実施形態を逆に折ってペット用品ボックスに形成する状態を示す斜視図である。本実施形態に係る包装ボックスは、底板１０と、四つの側板２０と、一つ以上の上板３０と、を含む。
【００３６】
四つの側板２０は、底板１０と一体成形される。
【００３７】
一つ以上の上板３０は、結合構造４０により四つの側板２０及び底板１０と結合可能である。底板１０と四つの側板２０とから収容空間Ａが構成される。収容空間Ａは品物を収容可能である。一つ以上の上板３０は、底板１０と四つの側板２０とに合わせてパッケージボックスＢを形成する。
【００３８】
四つの側板２０の背面２１にスクラッチパッド２２がそれぞれ設けられている。スクラッチパッド２２の中央には、幾何形状穴２３がスクラッチパッド２２を貫通するように設けられている。各側板２０には、幾何形状穴２３の形状と同じ幾何形状切断ライン２４が設けられている。パッケージボックスＢとそれに収容される品物とを購入した後、当該品物を取り出すと、パッケージボックスＢを、展開して、逆に折ってペット用品ボックスＣを形成可能である。このとき、スクラッチパッド２２が外部に露出する。幾何形状切断ライン２４に囲まれるプレート２５を切断すると、ペット用品ボックスＣが猫迷路遊技場となり、猫がスクラッチパッド２２を利用可能である。ペット用品ボックスＣとスクラッチパッド２２とはリサイクル可能な材料を採用するため、地球環境に優しい。
【００３９】
本実施形態に係る包装ボックスの結合構造４０は、重複に貼り付け可能なペーストを採用してもよい。
【００４０】
本実施形態に係る包装ボックスの結合構造４０は、重複に脱着可能なベルクロを採用してもよい。
【００４１】
本実施形態に係る包装ボックスの結合構造４０は、重複に係合可能な挿入板４１と挿入穴４２との組合を採用してもよい。
【００４２】
本実施形態に係る包装ボックスは、幾何形状穴２３の形状は円形であることが好ましい。
【００４３】
本実施形態に係る包装ボックスは、上板３０にハンドル３１が設けられていてもよい。本実施形態に係る包装ボックス全体をパッケージボックスＢとして利用するときには、ハンドル３１が外部に露出する。
【産業上の利用可能性】
【００４４】
本考案は、パッケージボックスに適用することができる。
【符号の説明】
【００４５】
１０  底板
２０  側板
２１  背面
２２  スクラッチパッド
２３  幾何形状穴
２４  幾何形状切断ライン
２５  プレート
３０  上板
３１  ハンドル
４０  結合構造
４１  挿入板
４２  挿入穴
Ａ  収容空間
Ｂ  パッケージボックス
Ｃ  ペット用品ボックス
【図１】
0003202662.tif 000003
【図２】
0003202662.tif 000004
【図３】
0003202662.tif 000005
【図４】
0003202662.tif 000006
【図５】
0003202662.tif 000007
【図６】
0003202662.tif 000008
【図７】
0003202662.tif 000009
【図８】
0003202662.tif 000010
【手続補正書】
【提出日】平成27年12月9日(2015.12.9)
【手続補正１】
【補正対象書類名】実用新案登録請求の範囲
【補正対象項目名】全文
【補正方法】変更
【補正の内容】
【実用新案登録請求の範囲】
【請求項１】
底板と、
前記底板と一体成形される四つの側板と、
結合構造により四つの前記側板及び前記底板と結合可能であり、前記底板と四つの前記側板とから収容空間が構成され、前記収容空間は品物を収容可能であり、前記底板と四つの前記側板とに合わせてパッケージボックスを形成する一つ以上の上板と、
を含み、
一つ以上の前記側板の背面にスクラッチパッドがそれぞれ設けられており、前記スクラッチパッドの中央には、幾何形状穴が前記スクラッチパッドを貫通するように設けられており、前記側板とそれに対向する別の前記側板とには、前記幾何形状穴の形状と同じ幾何形状切断ラインが設けられており、
前記パッケージボックスとそれに収容される品物とを購入した後、前記品物を取り出すと、前記パッケージボックスを、展開して、逆に折ってペット用品ボックスを形成可能であり、このとき、前記スクラッチパッドが外部に露出し、前記幾何形状切断ラインに囲まれるプレートを切断すると、前記ペット用品ボックスが猫迷路遊技場となり、猫が前記スクラッチパッドを利用可能であり、前記ペット用品ボックスと前記スクラッチパッドとはリサイクル可能な材料を採用することを特徴とする包装ボックス。
【請求項２】
前記結合構造は、重複に貼り付け可能なペーストを採用することを特徴とする、請求項１に記載の包装ボックス。
【請求項３】
前記結合構造は、重複に脱着可能な面ファスナーを採用することを特徴とする、請求項１に記載の包装ボックス。
【請求項４】
前記結合構造は、重複に係合可能な挿入板と挿入穴との組合を採用することを特徴とする、請求項１に記載の包装ボックス。
【請求項５】
前記幾何形状穴の形状は円形であることを特徴とする、請求項１に記載の包装ボックス。
【請求項６】
前記上板にハンドルが設けられており、全体をパッケージボックスとして利用するときには、前記ハンドルが外部に露出することを特徴とする、請求項１に記載の包装ボックス。
【請求項７】
一つ以上の前記側面の背面にスクラッチパッドが設けられており、二つの前記側面の背面にスクラッチパッドがそれぞれ設けられていることを特徴とする、請求項１に記載の包装ボックス。
【請求項８】
一つ以上の前記側面の背面にスクラッチパッドが設けられており、三つの前記側面の背面にスクラッチパッドがそれぞれ設けられていることを特徴とする、請求項１に記載の包装ボックス。
【請求項９】
底板と、
前記底板と一体成形される四つの側板と、
結合構造により四つの前記側板及び前記底板と結合可能であり、前記底板と四つの前記側板とから収容空間が構成され、前記収容空間は品物を収容可能であり、前記底板と四つの前記側板とに合わせてパッケージボックスを形成する一つ以上の上板と、
を含み、
四つの前記側板の背面にスクラッチパッドがそれぞれ設けられており、前記スクラッチパッドの中央には、幾何形状穴が前記スクラッチパッドを貫通するように設けられており、前記各側板には、前記幾何形状穴の形状と同じ幾何形状切断ラインが設けられており、
前記パッケージボックスとそれに収容される品物とを購入した後、前記品物を取り出すと、前記パッケージボックスを、展開して、逆に折ってペット用品ボックスを形成可能であり、このとき、前記スクラッチパッドが外部に露出し、前記幾何形状切断ラインに囲まれるプレートを切断すると、前記ペット用品ボックスが猫迷路遊技場となり、猫が前記スクラッチパッドを利用可能であり、前記ペット用品ボックスと前記スクラッチパッドとはリサイクル可能な材料を採用することを特徴とする包装ボックス。
【請求項１０】
前記結合構造は、重複に貼り付け可能なペーストを採用することを特徴とする、請求項９に記載の包装ボックス。
【請求項１１】
前記結合構造は、重複に脱着可能な面ファスナーを採用することを特徴とする、請求項９に記載の包装ボックス。
【請求項１２】
前記結合構造は、重複に係合可能な挿入板と挿入穴との組合を採用することを特徴とする、請求項９に記載の包装ボックス。
【請求項１３】
前記幾何形状穴の形状は円形であることを特徴とする、請求項９に記載の包装ボックス。
【請求項１４】
前記上板にハンドルが設けられており、全体をパッケージボックスとして利用するときには、前記ハンドルが外部に露出することを特徴とする、請求項９に記載の包装ボックス。
【手続補正２】
【補正対象書類名】明細書
【補正対象項目名】全文
【補正方法】変更
【補正の内容】
【考案の詳細な説明】
【技術分野】
【０００１】
本考案は、ペット用品に関し、特に、購入した内容物を取り出した後、捨てる必要がなく、展開して逆に折って結合してボックスを形成すると、本来の内面に設けられているスクラッチパッドが外部に露出し、切断ラインに囲まれるプレートを取外すと、全体が猫迷路遊技場となり、全体がリサイクル可能な材料を採用する包装ボックスに関するものである。
【背景技術】
【０００２】
特許文献１の台湾意匠１０３３００５１２号の「猫箱」は、中空の立方体であり、その前方から見ると、その前面には、猫のヘッド及び耳に似る幾何パターンが設けられており、当該パターンの下方に斜めな切りラインが設けられており、その上面の中央に直線状を呈する開口が設けられており、前記開口にハンドルが設けられており、その左面と背面とには、より大きい円形を呈する貫通孔が設けられている。このような猫箱は台形パターンを有する。前記台形パターンは、左面から、前面、右面及び背面を順序に経由し、その高さが徐々に降下し、猫箱の四周を囲む。
【０００３】
上記の猫箱は、猫箱だけとして利用可能であり、用途が限られ、商品のパッケージボックスとして利用できない。その原因は、より大きい円形を呈する貫通孔が設けられているため、収容される内容物が前記貫通孔を経由して外部に出やすいことにある。そして上記の猫箱は、展開して逆に折ってボックスに形成しても、別の用途として利用することができないため、意味がない。
【先行技術文献】
【特許文献】
【０００４】
【特許文献１】台湾意匠１０３３００５１２号
【考案の概要】
【考案が解決しようとする課題】
【０００５】
本考案の主な目的は、購入した内容物を取り出した後、捨てる必要がなく、展開して逆に折って結合してボックスを形成すると、本来の内面に設けられているスクラッチパッドが外部に露出し、切断ラインに囲まれるプレートを取外すと、全体が猫迷路遊技場となり、全体がリサイクル可能な材料を採用する包装ボックスを提供することにある。
【課題を解決するための手段】
【０００６】
本考案の包装ボックスによると、底板と、
底板と一体成形される四つの側板と、
結合構造により四つの側板及び底板と結合可能であり、底板と四つの側板とから収容空間が構成され、収容空間は品物を収容可能であり、底板と四つの側板とに合わせてパッケージボックスを形成する一つ以上の上板と、
を含み、
一つ以上の側板の背面にスクラッチパッドがそれぞれ設けられており、スクラッチパッドの中央には、幾何形状穴がスクラッチパッドを貫通するように設けられており、側板とそれに対向する別の側板とには、幾何形状穴の形状と同じ幾何形状切断ラインが設けられており、
パッケージボックスとそれに収容される品物とを購入した後、品物を取り出すと、パッケージボックスを、展開して、逆に折ってペット用品ボックスを形成可能であり、このとき、スクラッチパッドが外部に露出し、幾何形状切断ラインに囲まれるプレートを切断すると、ペット用品ボックスが猫迷路遊技場となり、猫がスクラッチパッドを利用可能であり、ペット用品ボックスとスクラッチパッドとはリサイクル可能な材料を採用することを特徴とする。
【０００７】
本考案の包装ボックスによると、結合構造は、重複に貼り付け可能なペーストを採用することを特徴とする。
【０００８】
本考案の包装ボックスによると、結合構造は、重複に脱着可能な面ファスナーを採用することを特徴とする。
【０００９】
本考案の包装ボックスによると、結合構造は、重複に係合可能な挿入板と挿入穴との組合を採用することを特徴とする。
【００１０】
本考案の包装ボックスによると、幾何形状穴の形状は円形であることを特徴とする。
【００１１】
本考案の包装ボックスによると、上板にハンドルが設けられており、全体をパッケージボックスとして利用するときには、ハンドルが外部に露出することを特徴とする。
【００１２】
本考案の包装ボックスによると、一つ以上の側面の背面にスクラッチパッドが設けられており、二つの側面の背面にスクラッチパッドがそれぞれ設けられていることを特徴とする。
【００１３】
本考案の包装ボックスによると、一つ以上の側面の背面にスクラッチパッドが設けられており、三つの側面の背面にスクラッチパッドがそれぞれ設けられていることを特徴とする。
【００１４】
本考案の包装ボックスによると、底板と、
底板と一体成形される四つの側板と、
結合構造により四つの側板及び底板と結合可能であり、底板と四つの側板とから収容空間が構成され、収容空間は品物を収容可能であり、底板と四つの側板とに合わせてパッケージボックスを形成する一つ以上の上板と、
を含み、
四つの側板の背面にスクラッチパッドがそれぞれ設けられており、スクラッチパッドの中央には、幾何形状穴がスクラッチパッドを貫通するように設けられており、各側板には、幾何形状穴の形状と同じ幾何形状切断ラインが設けられており、
パッケージボックスとそれに収容される品物とを購入した後、品物を取り出すと、パッケージボックスを、展開して、逆に折ってペット用品ボックスを形成可能であり、このとき、スクラッチパッドが外部に露出し、幾何形状切断ラインに囲まれるプレートを切断すると、ペット用品ボックスが猫迷路遊技場となり、猫がスクラッチパッドを利用可能であり、ペット用品ボックスとスクラッチパッドとはリサイクル可能な材料を採用することを特徴とする。
【００１５】
本考案の包装ボックスによると、結合構造は、重複に貼り付け可能なペーストを採用することを特徴とする。
【００１６】
本考案の包装ボックスによると、結合構造は、重複に脱着可能な面ファスナーを採用することを特徴とする。
【００１７】
本考案の包装ボックスによると、結合構造は、重複に係合可能な挿入板と挿入穴との組合を採用することを特徴とする。
【００１８】
本考案の包装ボックスによると、幾何形状穴の形状は円形であることを特徴とする。
【００１９】
本考案の包装ボックスによると、上板にハンドルが設けられており、全体をパッケージボックスとして利用するときには、ハンドルが外部に露出することを特徴とする。
【考案の効果】
【００２０】
本考案の包装ボックスによれば、次のような効果がある。
（１）購入した内容物を取り出した後、捨てる必要がなく、展開して逆に折って結合してボックスを形成すると、本来の内面に設けられているスクラッチパッドが外部に露出し、切断ラインに囲まれるプレートを取外すと、全体が猫迷路遊技場となる。
【００２１】
（２）全体がリサイクル可能な材料を採用するため、地球環境に優しい。
【図面の簡単な説明】
【００２２】
【図１】本考案の第１の実施形態が展開されて外面を展示する状態を示す図である。
【図２】本考案の第１の実施形態が展開されて内面を展示する状態を示す図である。
【図３】本考案の第１の実施形態がパッケージボックスに形成された状態を示す斜視図である。
【図４】本考案の第１の実施形態を逆に折ってペット用品ボックスに形成する状態を示す斜視図である。
【図５】本考案の第２の実施形態が展開されて外面を展示する状態を示す図である。
【図６】本考案の第２の実施形態が展開されて内面を展示する状態を示す図である。
【図７】本考案の第２の実施形態がパッケージボックスに形成された状態を示す斜視図である。
【図８】本考案の第２の実施形態を逆に折ってペット用品ボックスに形成する状態を示す斜視図である。
【考案を実施するための形態】
【００２３】
以下、本考案の実施の形態を図面に基づいて説明する。
【００２４】
（第１の実施形態）
図１から図４を参照する。図１は本考案の第１の実施形態が展開されて外面を展示する状態を示す図であり、図２は本考案の第１の実施形態が展開されて内面を展示する状態を示す図であり、図３は本考案の第１の実施形態がパッケージボックスに形成された状態を示す斜視図であり、図４は本考案の第１の実施形態を逆に折ってペット用品ボックスに形成する状態を示す斜視図である。本実施形態に係る包装ボックスは、底板１０と、四つの側板２０と、一つ以上の上板３０と、を含む。
【００２５】
四つの側板２０は、底板１０と一体成形される。
【００２６】
一つ以上の上板３０は、結合構造４０により四つの側板２０及び底板１０と結合可能である。底板１０と四つの側板２０とから収容空間Ａが構成される。収容空間Ａは品物を収容可能である。一つ以上の上板３０は、底板１０と四つの側板２０とに合わせてパッケージボックスＢを形成する。
【００２７】
一つ以上の側板２０の背面２１にスクラッチパッド２２がそれぞれ設けられている。スクラッチパッド２２の中央には、幾何形状穴２３がスクラッチパッド２２を貫通するように設けられている。側板２０とそれに対向する別の側板２０とには、幾何形状穴２３の形状と同じ幾何形状切断ライン２４が設けられている。パッケージボックスＢとそれに収容される品物とを購入した後、当該品物を取り出すと、パッケージボックスＢを、展開して、逆に折ってペット用品ボックスＣを形成可能である。このとき、スクラッチパッド２２が外部に露出する。幾何形状切断ライン２４に囲まれるプレート２５を切断すると、ペット用品ボックスＣが猫迷路遊技場となり、猫がスクラッチパッド２２を利用可能である。ペット用品ボックスＣとスクラッチパッド２２とはリサイクル可能な材料を採用するため、地球環境に優しい。
【００２８】
本実施形態に係る包装ボックスの結合構造４０は、重複に貼り付け可能なペーストを採用してもよい。
【００２９】
本実施形態に係る包装ボックスの結合構造４０は、重複に脱着可能な面ファスナーを採用してもよい。
【００３０】
本実施形態に係る包装ボックスの結合構造４０は、重複に係合可能な挿入板４１と挿入穴４２との組合を採用してもよい。
【００３１】
本実施形態に係る包装ボックスは、幾何形状穴２３の形状は円形であることが好ましい。
【００３２】
本実施形態に係る包装ボックスは、上板３０にハンドル３１が設けられていてもよい。本実施形態に係る包装ボックス全体をパッケージボックスＢとして利用するときには、ハンドル３１が外部に露出する。
【００３３】
本実施形態に係る包装ボックスは、一つ以上の側面２０の背面２１にスクラッチパッド２２が設けられている。二つの側面２０の背面２１にスクラッチパッド２２がそれぞれ設けられていることが好ましい。
【００３４】
本実施形態に係る包装ボックスは、一つ以上の側面２０の背面２１にスクラッチパッド２２が設けられている。三つの側面２０の背面２１にスクラッチパッド２２がそれぞれ設けられていることが好ましい。
【００３５】
（第２の実施形態）
図５から図８を参照する。図５は本考案の第２の実施形態が展開されて外面を展示する状態を示す図であり、図６は本考案の第２の実施形態が展開されて内面を展示する状態を示す図であり、図７は本考案の第２の実施形態がパッケージボックスに形成された状態を示す斜視図であり、図８は本考案の第２の実施形態を逆に折ってペット用品ボックスに形成する状態を示す斜視図である。本実施形態に係る包装ボックスは、底板１０と、四つの側板２０と、一つ以上の上板３０と、を含む。
【００３６】
四つの側板２０は、底板１０と一体成形される。
【００３７】
一つ以上の上板３０は、結合構造４０により四つの側板２０及び底板１０と結合可能である。底板１０と四つの側板２０とから収容空間Ａが構成される。収容空間Ａは品物を収容可能である。一つ以上の上板３０は、底板１０と四つの側板２０とに合わせてパッケージボックスＢを形成する。
【００３８】
四つの側板２０の背面２１にスクラッチパッド２２がそれぞれ設けられている。スクラッチパッド２２の中央には、幾何形状穴２３がスクラッチパッド２２を貫通するように設けられている。各側板２０には、幾何形状穴２３の形状と同じ幾何形状切断ライン２４が設けられている。パッケージボックスＢとそれに収容される品物とを購入した後、当該品物を取り出すと、パッケージボックスＢを、展開して、逆に折ってペット用品ボックスＣを形成可能である。このとき、スクラッチパッド２２が外部に露出する。幾何形状切断ライン２４に囲まれるプレート２５を切断すると、ペット用品ボックスＣが猫迷路遊技場となり、猫がスクラッチパッド２２を利用可能である。ペット用品ボックスＣとスクラッチパッド２２とはリサイクル可能な材料を採用するため、地球環境に優しい。
【００３９】
本実施形態に係る包装ボックスの結合構造４０は、重複に貼り付け可能なペーストを採用してもよい。
【００４０】
本実施形態に係る包装ボックスの結合構造４０は、重複に脱着可能な面ファスナーを採用してもよい。
【００４１】
本実施形態に係る包装ボックスの結合構造４０は、重複に係合可能な挿入板４１と挿入穴４２との組合を採用してもよい。
【００４２】
本実施形態に係る包装ボックスは、幾何形状穴２３の形状は円形であることが好ましい。
【００４３】
本実施形態に係る包装ボックスは、上板３０にハンドル３１が設けられていてもよい。本実施形態に係る包装ボックス全体をパッケージボックスＢとして利用するときには、ハンドル３１が外部に露出する。
【産業上の利用可能性】
【００４４】
本考案は、パッケージボックスに適用することができる。
【符号の説明】
【００４５】
１０  底板
２０  側板
２１  背面
２２  スクラッチパッド
２３  幾何形状穴
２４  幾何形状切断ライン
２５  プレート
３０  上板
３１  ハンドル
４０  結合構造
４１  挿入板
４２  挿入穴
Ａ  収容空間
Ｂ  パッケージボックス
Ｃ  ペット用品ボックス